(57)【要約】【課題】使い勝手がよく楽に紐がセットでき、紐の太さに関係なく使え、構造も簡単な紐収納箱の提供。【解決手段】円筒状に巻かれた市販の紐を先端又は終端から取り出して使用するようにした紐を収納するための箱であって、収納する箱本体ａ，ａ１は立方形ないしは円筒形とし、紐を引き出すための導出口２を箱の上面１に形成し、かつその一部は漸次狭少とするＶ字状の紐掛止部２ａとして設け、かつ箱本体ａ，ａ１の外周に切断刃３ｂを取付けて成ることを特徴とする紐収納箱。【選択図】        図４
2004161365.tif 000002
【特許請求の範囲】
【請求項１】
円筒状に巻かれた市販の紐を先端又は終端から取り出して使用するようにした紐を収納するための箱であって、収納する箱本体は立方形ないしは円筒形とし、紐を引き出すための導出口を箱の上面に形成し、かつその一部は漸次狭少とするＶ字状の紐掛止部として設け、かつ箱本体の外周に切断刃を取付けて成ることを特徴とする紐収納箱。
【請求項２】
導出口のＶ字状の紐掛止部は、一ないし複数の星形状に形成して成ることを特徴とする請求項１記載の紐収納箱。
【請求項３】
切断刃は、導出口のＶ字状の紐掛止部の外方に設け、かつ上部に紐案内用のＶ溝を形成して成ることを特徴とする請求項１記載の紐収納箱。
【発明の詳細な説明】
【０００１】
【発明の属する技術分野】
本発明は、円筒形に巻いてある市販の紐を収納でき、導出される紐のカッターを取付けておいて必要な長さだけを切って使用する紐収納箱に関する。
【０００２】
【従来の技術】
従来、例えば梱包紐は、円筒形に巻かれており、紙又はフィルム等で被覆してある。
この紐を家庭で使用する場合、カッター，はさみ等で切って使用していた。
【特許文献１】
実用新案登録第３０７２７９８号公報（実願２０００−２７４７）
【０００３】
【発明が解決しようとする課題】
しかし、家庭でこの紐を使用する場合、残量が少なくなると、筒状がこわれてしまい保形がたもたれなくなり、持ち運びにも不便であった。
【０００４】
又、実用新案登録第３０７２７９８号公報（実願２０００−２７４７）においては、箱本体がこわれやすく、切断の際、紐を押えなければならない。紐の太さが限定されている、切断箇所が多くは設けられない、持ち運びが不便、多種の紐が使えない、セットしにくいなどの問題があった。
【０００５】
本発明では上記の問題点をすべて改良したものであり、使い勝手がよく、梱包作業も早くなり構造が簡単なためこわれにくい紐収納箱を提供する。
【０００６】
【課題を解決するための手段】
本発明は以下の構成を備えることにより、上記課題を解決できる。
（１）円筒状に巻かれた市販の紐を先端又は終端から取り出して使用するようにした紐を収納するための箱であって、収納する箱本体は立方形ないしは円筒形とし、紐を引き出すための導出口を箱の上面に形成し、かつその一部は漸次狭少とするＶ字状の紐掛止部として設け、かつ箱本体の外周に切断刃を取付けて成ることを特徴とする紐収納箱。
（２）導出口のＶ字状の紐掛止部は、一ないし複数の星形状に形成して成ることを特徴とする前記（１）記載の紐収納箱。
（３）切断刃は、導出口のＶ字状の紐掛止部の外方に設け、かつ上部に紐案内用のＶ溝を形成して成ることを特徴とする前記（１）記載の紐収納箱。
さらに、本発明では以下の特徴を有する。
【０００７】
本発明では、円筒状に巻かれた市販の紐を先端又は終端から取り出して、使用するようにした紐を収納するための箱において、収納する箱本体は立方形ないし円筒形として紐を引き出すための導出口は箱の上面に漸次狭少とするＶ字状の紐掛止部を一ないし二以上の星形状に設け、かつ箱本体の外周に切断刃を取付けて市販の紐の太さにこだわらず対応できて上記課題を解決する。
【０００８】
本発明によれば、紐収納箱本体がこわれにくくするために、プラスチック，ステンレス，木，等で円筒形，立方形で作製する。又導出口は箱の上面に星形状に設け紐を引き出し、カットした際、導出口の先の所に紐がくい込み、紐が滑らず切断しやすい。
【０００９】
又、本発明によれば、紐の太さに限定されることがなく、現在市販されている、本発明の収納箱に入る大きさの円筒状の紐に対応できる。
持ち運びについては、収納箱の側面を上面より２０ｍｍ上げることにより、持ち運びの際は便利である。
紐のセットは収納箱本体の底面でするためセットしやすい。紐の先端を大きな導出口から出して紐を本体に入れればよい。
【００１０】
本発明では、切断刃は箱本体の外周壁に設けてあるが、数にはこだわらず、１箇所以上必要に応じて設ける。
又、切断箇所をＶ字形にカットし、太い紐でも入りやすく、カットしやすくしたことを特徴とする。
【００１１】
本発明によれば、紐収納箱の側面上に紐切断部分を取付けたことにより収納箱を置いたままカットできる。
又、切断箇所は、必要に応じて複数設けることもできる。紐導出口は大きいので太い紐と取替えても使用できる。紐収納箱１つでユーザーは、それぞれ必要な紐が使える。
【００１２】
【発明の実施の形態】
以下、本発明の実施の形態について、図面を参照しながら説明する。
図１は、箱本体ａが立方形で作製した時の平面を示している。
図２は、箱本体ａ１が円筒形で作製したときの平面を示している。
この箱本体ａ，ａ１は上面１とＡ，Ｂ，Ｃ，Ｄの側面、底面５とからなっている。箱本体ａ，ａ１の上面１には漸次と狭少となるＶ字状の紐掛止部２ａを穿った星形の導出口２を設け、この導出口２の紐掛止部２ａは、その先端を鋭角にし、紐を引き出し、切る際に鋭角の部分にくい込んで滑らなくなり、切りやすくしてあり、図示していないが紐掛止部２ａは１箇所でも２箇所でも図示のように４箇所でも良く、数は問わない。
３１，３２，３３，３４は紐を切る所でＶ溝３ａが形成され、かつ切断刃（カッター）３ｂが設けられている。Ｖ字形にカットしたＶ溝３ａにカッター３ｂの刃を取付けて紐を切ることができ、図面では４箇所になっているが、数にはとらわれない。
【００１３】
円筒形、立方形いずれも同じである。そして、このＶ溝３ａ、カッター３ｂは紐掛止部２ａの外方に位置するのが好ましく、箱本体ａ，ａ１の上面１の外周で上面より２０ｍｍほど突出した突起壁４に設けるもので、この突起壁４を持つことにより、持ち運びに便利である。なお、図示しないが別に取手を取付けてもよい。
【００１４】
箱本体ａ，ａ１の底部５には、紐を収納するための開口部が穿たれ、箱本体ａ，ａ１が立方形の場合は引き出し形、円筒形の場合はネジ込み式とする。
市販の紐のセット６は、紐本体ａ，ａ１の底面５から収納し、紐の内側下部の先端を導出口２から外に引き出し蓋をする。
そして、必要量の紐を繰り出し、必要な長さを得た場合、紐を導出口２Ｖ字状の紐掛止部２ａに送り込み、挟み込んで掛止させ、引っ張り状態に保ってＶ溝３ａのカッター３ｂにより押し込んで簡単に切断できる。切断後の紐セット６の端部は、導出口２のＶ字状紐掛止部２ａで掛止されているので、この状を解き、再び同様に使用できる。
【００１５】
【発明の効果】
本発明によれば、簡便な構造で幅や太さの異なる多種の紐が使えるため、家庭は勿論のこと、業務用など多くの作業に使うことができる。
【図面の簡単な説明】
【図１】本発明の一実施例を示す立方形に形成した場合の平面図
【図２】本発明の一実施例を示す円筒形に形成した場合の平面図
【図３】図１の側面図
【図４】図２の側面図
【図５】図１の全体の斜面図
【符号の説明】
ａ，ａ１  箱本体
１  上面
２  導出口
２ａ  Ｖ字状の紐掛止部
３１，３２，３３，３４  紐切る箇所
３ａ  Ｖ溝
３ｂ  切截刃（カッター）
４  突起部
５  底部
６  紐セット
【図１】
2004161365.tif 000003
【図２】
2004161365.tif 000004
【図３】
2004161365.tif 000005
【図４】
2004161365.tif 000006
【図５】
2004161365.tif 000007